(57)【要約】      （修正有）【課題】大津波や水害時に、頭部を含む身体全体が水に飲み込まれて息が出来なくなる様な危機的状態に陥っても、安全に避難する事ができる水難用救命具を提供する。【解決手段】上面樹脂フィルム２９と下面樹脂フィルム３０の２枚の樹脂フィルムの中央部に、大人の首回りと概ね同じ大きさの首挿入穴を開け、首挿入穴から半円形状の逆方向の末端まで中央部を切断し、上面樹脂フィルムに給排気口１７を取付けると共に、２枚の樹脂フィルムに開けた首挿入穴と中央部の切断面を重ね合わせて断面を溶着し、２枚の外周を重ね合わせてハトメ４，６，７，８，１５，２２を挿入し外周を溶着し、さらに上面樹脂フィルムの上面に、略逆Ｕ字形をした透明な顔面用樹脂フィルム２３を、２枚の樹脂フィルムの外周と重ね合わせ外周を溶着する事により、上面樹脂フィルムと下面樹脂フィルムの２枚の樹脂フィルムで首回りと左右胸部に装着するエアーバック９，１４を構成する。【選択図】図１
2015003711.tif 000002
【特許請求の範囲】
【請求項１】
外形が同一寸法で略逆Ｕ字形をした、上面樹脂フィルムと下面樹脂フィルムの２枚の樹脂フィルムの半円形状をした外形部分の中央部に、大人の首回りと概ね同じ大きさの首挿入穴を開け、首挿入穴から半円形状の逆方向の末端まで中央部を切断し、上面樹脂フィルムに給排気口を取付けると共に、２枚の樹脂フィルムに開けた首挿入穴と中央部の切断面を重ね合わせて断面を溶着し、つづいて２枚の外周を重ね合わせてハトメを挿入し外周を溶着し、さらに上面樹脂フィルムの上面に、外形が上面樹脂フィルムより大きく略逆Ｕ字形をした透明な一枚の顔面用樹脂フィルムを、２枚の樹脂フィルムの外周と重ね合わせ外周を溶着する事により、上面樹脂フィルムと下面樹脂フィルムの２枚の樹脂フィルムで首回りと左右胸部に装着するエアーバックを構成し、緊急時には、ハトメに取付けた肩紐を両脇で抱え込むようにして頭部を首挿入穴に挿入し、給排気口から息を吹込みエアーバックを膨らませ肩紐を結ぶ事により、顔面用樹脂フィルムが頭部と顔面を覆い、頭部が水中に水没した際にも顔面に水が浸入するのを防いだ事を特徴とする携帯式津波救命具２型。
【請求項２】
首挿入穴から半円形状の逆方向の末端部まで中央部を切断した２枚の重ね合わせた切断面を溶着する際、左右の切断面にそれぞれハトメを挿入して溶着すると共に、顔面用樹脂フィルムと上面樹脂フィルムと下面樹脂フィルムの外周を重ね合わせて溶着する際も、外周の上部左右と下部左右にハトメを挿入して溶着し、上部左右のハトメに、それぞれ肩紐を結び付け、上部右のハトメに結び付けた右肩紐を、左の切断面に取付けたハトメに通した後、下部右のハトメを通すと共に、上部左のハトメに結び付けた左肩紐を、右の切断面に取付けたハトメに通した後、外周の下部左のハトメを通した事を特徴とする請求項１に記載の携帯式津波救命具２型。
【請求項３】
給排気口をストロー式逆止弁で構成すると共に、ストロー式逆止弁に挿入するストローに、シート状の抜落ち防止用ストッパーを一体で成型し、逆止弁の２枚の薄い樹脂フィルムの両端を溶着する際、両端の一部を横凸状に溶着して抜落ち防止溶着部を形成し、中央部にストローを通過させる事ができる隙間を開けた事を特徴とする請求項１に記載の携帯式津波救命具２型。
【請求項４】
身体が大津波や洪水に飲み込まれて息が出来なくなる様な危機的状態に陥った場合、ストロー式逆止弁に挿入したストローを逆止弁の中に押し下げ、エアーバックの中の空気をストローで呼吸して避難出来るように構成した事を特徴とする請求項１又は３に記載の携帯式津波救命具２型。
【請求項５】
上面樹脂フィルムと下面樹脂フィルムの２枚の樹脂フィルムで構成した首挿入穴の首回りを溶着する際、首挿入穴より概ね１〜２ｃｍ外周を首回り形状と同じ略楕円形状に溶着し、首回りからの水の浸入を防止する首回りフィンを形成した事を特徴とする請求項１又は２に記載の携帯式津波救命具２型。
【請求項６】
顔面用樹脂フィルムの概ね中央部に、給排気筒を貫通させるための給排気穴を開け、給排気穴の上面に一辺を顔面用樹脂カバーに溶着させた水侵入防止カバーを取付けた事を特徴とする請求項１又は２に記載の携帯式津波救命具２型。
【請求項７】
給排気穴に挿入して口で銜え、外気を呼吸するための給排気筒に笛を内臓し、先端部にＬＥＤ点滅灯を取付けた事を特徴とする請求項１又は６に記載の携帯式津波救命具２型。
【請求項８】
給排気筒を芯にして略逆Ｕ字形をした３枚の樹脂フィルムと肩紐で構成した津波救命具を丸める事により、平時には手の平に収まるか、それよりやや大きい程度のサイズに収縮させ、携帯可能サイズに構成した事を特徴とする請求項１乃至７のいずれか一つに記載の携帯式津波救命具２型。
【請求項９】
丸めて長期間保管した場合でも、樹脂フィルム同士が貼り付かないように樹脂フィルムにポリウレタンフィルムを使用した事を特徴とする請求項１又は２又は８のいずれか一つに記載の携帯式津波救命具。
【発明の詳細な説明】
【技術分野】
【０００１】  本発明は、大津波や水害時に、頭部を含む身体全体が水にのみ込まれて息が出来なくなる様な危機的状態に陥った場合でも、首部と胸部に装着し、頭部を水面に浮上させる事により呼吸を可能とし、安全に避難する事ができる水難用救命具に関するものである。
【背景技術】
【０００２】  平成２３年３月１１日に発生した東日本大震災と、それに伴って発生した大津波により亡くなった死者と行方不明者の合計は２万人以上にも及び、今後も、東海トラフ地震等の大地震や大津波が発生するおそれのある事が指摘されており、災害時に自ら救命するための対策を準備しておく事が不可欠になっている。【０００３】  大地震が発生した際、津波災害に遭遇しないためには、いち早く安全な高台等に避難することが必要であるが、震源地が近い時や、高台の無い沿岸部で生活している人にとっては高いビルや高台等へ避難する時間的余裕がなく、特に、高齢者など足腰が弱い人の場合には、大地震発生から大津波が到達するまでの短時間の間に、ビル等の長い階段を上って高い位置にある屋上へと避難するのは非常に大変な事であり、また、車で避難する場合には交通渋滞等により避難場所までの移動が困難な状況となり、避難途中に大津波に巻き込まれて死亡する危険性が高かった。【０００４】  水害時に、生命を守り安全に避難するための救命具に関しては、救命胴衣や浮輪等の救命用具が数多く提案されており、その中でもライフジャケットは一般に周知されているが、平時に携帯して持ち歩く事を想定しないで作られており、そのため外出時に大津波や洪水等の水害に遭遇し、頭部が水中に水没して呼吸が出来なくなるといった事態には対応できなかった。
【先行技術文献】
【特許文献】
【０００５】  そこで、本出願人は、特許文献１に記載された「津波救命具」を発明し出願した。この発明によれば、大津波の際に頭部に被って避難するための、お椀形をした頭部カバーの内部の首回りにエアーバックを取付け、緊急時においてエアーバックに息を吹込む事により、首と首回りのエアーバックが密着して、頭部に被るエアーバックの内部に水が浸入しないように構成した事により、頭部を含む身体全体が大津波や洪水等にのみ込まれて息が出来ない様な危機的状態に陥っても、水が鼻や口から大量に体内に入って窒息するような事態を防ぎ、安全に避難する事が可能となった。
【特許文献１】特願２０１２−１２７４７３
【０００６】  しかしながら、本出願人の出願した特許文献１の発明においては、身体全体が数分間も、津波や洪水等にのみ込まれて息が出来ない様な危機的状態に陥った場合、呼吸手段が無いために窒息してしまう、といった問題が発生した。【０００７】  そこで、本出願人は、特許文献２に記載された「携帯式津波救命具」を発明し出願した。この発明によれば、特許文献１の、お椀形をした頭部カバーの口に当たる部分に水が浸入しない止水弁付の開口部を取付け、その開口部に小型酸素ボンベを取付けた呼吸装置を挿入し、身体全体が水中にのみ込まれた場合には小型酸素ボンベの酸素を吸気する事により安全に避難する事が可能となった。
【特許文献２】特願２０１２−１４９８７２
【０００８】  しかしながら、本出願人の出願した特許文献２の発明においては、呼吸装置を芯にしてエアーバックを丸めるため、極小サイズに折り畳む事が出来ない、といった問題と、頭部エアーバックだけでは浮力が不足すると言った問題が発生した。【０００９】  そこで、本出願人は、特許文献３に記載された「携帯式津波救命具」を発明し出願した。この発明によれば、頭部に装着する、頭上部が楕円形の樹脂フィルムで、顔面部が透明な樹脂フィルムで、顔面下部と側頭部と後頭部は２枚の樹脂フィルムにストロー式逆止弁を取付け周囲を溶着した頭回りエアーバックで頭部エアーバックを構成し、小型酸素ボンベ付呼吸装置を折りたたみ式にして小型化し、口に銜える事が出来るように、顔面の下の口部に開口部を設け、胸には胸装着用エアーバックを装着するように構成した事により、身体全体が水中にのみ込まれた場合には小型酸素ボンベの酸素を吸気する事により安全に避難する事が可能となった。
【特許文献３】特願２０１２−２６４６８０
【００１０】  しかしながら、本出願人の出願した特許文献３の発明においても、小型酸素ボンベ付呼吸装置を芯にして胸装着用エアーバックと頭部エアーバックを丸めたため、極小サイズに折り畳む事が出来ない、といった問題と、避難するために必要十分な容量が１０リットルの小型酸素ボンベを使用したため、非常に高価になり、多くの人々に購入してもらい、多くの人命を救助すると言う目的を達成する事が出来なかった。【００１１】  また、携帯式の浮き袋としては、特許文献４に記載した、平時にはベルト幅で折り畳み、腰にベルトとして着用し、非常時には呼気注入して浮き袋として活用する腰部装着型携帯浮き袋が開示されているが、このような携帯浮き袋では、大津波で身体全体が水中にのみ込まれて息が出来なくなる様な危機的状態に陥った場合、顔面を覆うカバー無いため、鼻や口から大量の水を飲み込み気絶して死亡する様なケースには対応する事が出来なかった。
【特許文献４】特願２００１−１９１９８２
【発明の概要】
【発明が解決しようとする課題】
【００１２】  本発明は、上記の問題の解決を図るもので、小型で持ち運びが出来て、小型バックの中にも収納でき、大津波や水害等で避難する際、頭部を水上に浮上させると共に、頭部が水中に水没した場合でも顔面に水が浸入せず、安全に避難する事が出来る水難用救命具を提供する事を課題とする。【００１３】  さらに、簡単な構造で、誰でも素早く装着する事が出来、多くの人々が購入出来るように販売価格を安価に設定し、人々が外出する際に常備携帯して持ち運ぶ事により、万一の大津波や地下鉄内での洪水の際に簡単に装着し、安全に避難する事が出来る水難用救命具を提供する事を課題とする。
【課題を解決するための手段】
【００１４】  かかる課題を解決するため、請求項１に記載の発明は、外形が同一寸法で略逆Ｕ字形をした、上面樹脂フィルムと下面樹脂フィルムの２枚の樹脂フィルムの半円形状をした外形部分の中央部に、大人の首回りと概ね同じ大きさの首挿入穴を開け、首挿入穴から半円形状の逆方向の末端まで中央部を切断し、上面樹脂フィルムに給排気口を取付けると共に、２枚の樹脂フィルムに開けた首挿入穴と中央部の切断面を重ね合わせて断面を溶着し、つづいて２枚の外周を重ね合わせてハトメを挿入し外周を溶着し、さらに上面樹脂フィルムの上面に、外形が上面樹脂フィルムより大きく略逆Ｕ字形をした透明な一枚の顔面用樹脂フィルムを、２枚の樹脂フィルムの外周と重ね合わせ外周を溶着する事により、上面樹脂フィルムと下面樹脂フィルムの２枚の樹脂フィルムで首回りと左右胸部に装着するエアーバックを構成し、緊急時には、ハトメに取付けた肩紐を両脇で抱え込むようにして頭部を首挿入穴に挿入し、給排気口から息を吹込みエアーバックを膨らませ肩紐を結ぶ事により、顔面用樹脂フィルムが頭部と顔面を覆い、頭部が水中に水没した際にも顔面に水が浸入するのを防いだ事を特徴とする。【００１５】  請求項２に記載の発明は、請求項１に記載の構造に加え、首挿入穴から半円形状の逆方向の末端部まで中央部を切断した２枚の重ね合わせた切断面を溶着する際、左右の切断面にそれぞれハトメを挿入して溶着すると共に、顔面用樹脂フィルムと上面樹脂フィルムと下面樹脂フィルムの外周を重ね合わせて溶着する際も、外周の上部左右と下部左右にハトメを挿入して溶着し、上部左右のハトメに、それぞれ肩紐を結び付け、上部右のハトメに結び付けた右肩紐を、左の切断面に取付けたハトメに通した後、下部右のハトメを通すと共に、上部左のハトメに結び付けた左肩紐を、右の切断面に取付けたハトメに通した後、外周の下部左のハトメを通した事を特徴とする。【００１６】  請求項３に記載の発明は、請求項１に記載の構造に加え、給排気口をストロー式逆止弁で構成すると共に、ストロー式逆止弁に挿入するストローに、シート状の抜落ち防止用ストッパーを一体で成型し、逆止弁の２枚の薄い樹脂フィルムの両端を溶着する際、両端の一部を横凸状に溶着して抜落ち防止溶着部を形成し、中央部にストローを通過させる事ができる隙間を開けた事を特徴とする。【００１７】  請求項４に記載の発明は、請求項１又は３に記載の構造に加え、身体が大津波や洪水に飲み込まれて息が出来なくなる様な危機的状態に陥った場合、ストロー式逆止弁に挿入したストローを逆止弁の中に押し下げ、エアーバックの中の空気をストローで呼吸して避難出来るように構成した事を特徴とする。【００１８】  請求項５に記載の発明は、請求項１又は２に記載の構造に加え、上面樹脂フィルムと下面樹脂フィルムの２枚の樹脂フィルムで構成した首挿入穴の首回りを溶着する際、首挿入穴より概ね１〜２ｃｍ外周を首回り形状と同じ略楕円形状に溶着し、首回りからの水の浸入を防止する首回りフィンを形成した事を特徴とする。【００１９】  請求項６に記載の発明は、請求項１又は２に記載の構造に加え、顔面用樹脂フィルムの概ね中央部に、給排気筒を貫通させるための給排気穴を開け、給排気穴の上面に一辺を顔面用樹脂カバーに溶着させた水侵入防止カバーを取付けた事を特徴とする。【００２０】  請求項７に記載の発明は、請求項１又は６に記載の構造に加え、給排気穴に挿入して口で銜え、外気を呼吸するための給排気筒に笛を内臓し、先端部にＬＥＤ点滅灯を取付けた事を特徴とする。【００２１】  請求項８に記載の発明は、請求項１乃至７のいずれか一つに記載の構造に加え、給排気筒を芯にして略逆Ｕ字形をした３枚の樹脂フィルムと肩紐で構成した津波救命具を丸める事により、平時には手の平に収まるか、それよりやや大きい程度のサイズに収縮させ、携帯可能サイズに構成した事を特徴とする。【００２２】  請求項９に記載の発明は、請求項１又は２又は８のいずれか一つに記載の構造に加え、丸めて長期間保管した場合でも、樹脂フィルム同士が貼り付かないように樹脂フィルムにポリウレタンフィルムを使用した事を特徴とする。
【発明の効果】
【００２３】  請求項１に記載の発明によれば、外形が同一寸法で略逆Ｕ字形をした、上面樹脂フィルムと下面樹脂フィルムの２枚の樹脂フィルムの半円形状をした外形部分の中央部に、大人の首回りと概ね同じ大きさの首挿入穴を開け、首挿入穴から半円形状の逆方向の末端まで中央部を切断し、上面樹脂フィルムに給排気口を取付けると共に、２枚の樹脂フィルムに開けた首挿入穴と中央部の切断面を重ね合わせて断面を溶着し、つづいて２枚の外周を重ね合わせてハトメを挿入し外周を溶着し、さらに上面樹脂フィルムの上面に、外形が上面樹脂フィルムより大きく略逆Ｕ字形をした透明な一枚の顔面用樹脂フィルムを、２枚の樹脂フィルムの外周と重ね合わせ外周を溶着する事により、上面樹脂フィルムと下面樹脂フィルムの２枚の樹脂フィルムで首回りと左右胸部に装着するエアーバックを構成し、緊急時には、ハトメに取付けた肩紐を両脇で抱え込むようにして頭部を首挿入穴に挿入し、給排気口から息を吹込みエアーバックを膨らませ肩紐を結ぶ事により、顔面用樹脂フィルムが頭部と顔面を覆い、頭部が水中に水没した際にも顔面に水が浸入するのを防ぎ、頭部と顔面を覆う透明な樹脂フィルムが広い視野を確保し、大津波の中の漂流物と頭部が接触した場合でも頭部を保護して安全に避難する事が出来るようになると共に、頭部を含む身体全体が大津波や洪水等にのみ込まれて息が出来なくなるような危機的状態に陥った場合でも、水が鼻や口から大量に体内に入って窒息死するような事態を防ぐ事が可能となった。【００２４】  請求項２に記載の発明によれば、首挿入穴から半円形状の逆方向の末端部まで中央部を切断した２枚の重ね合わせた切断面を溶着する際、左右の切断面にそれぞれハトメを挿入して溶着すると共に、顔面用樹脂フィルムと上面樹脂フィルムと下面樹脂フィルムの外周を重ね合わせて溶着する際も、外周の上部左右と下部左右にハトメを挿入して溶着し、上部左右のハトメに、それぞれ肩紐を結び付け、上部右のハトメに結び付けた右肩紐を、左の切断面に取付けたハトメに通した後、下部右のハトメを通すと共に、上部左のハトメに結び付けた左肩紐を、右の切断面に取付けたハトメに通した後、外周の下部左のハトメを通した事により、、緊急時には、ハトメに取付けた肩紐を両脇で抱えこむようにして頭部を首挿入穴に挿入し、給排気口から息を吹込みエアーバックを膨らませ肩紐を結ぶ事により、後頭部を含む首回りと胸部に津波救命具を装着する事ができると共に、簡単な構造で頭部と顔面への水の侵入を防ぐ事が可能となった。【００２５】  請求項３に記載の発明によれば、給排気口をストロー式逆止弁で構成すると共に、ストロー式逆止弁に挿入するストローに、シート状の抜落ち防止用ストッパーを一体で成型し、逆止弁の２枚の薄い樹脂フィルムの両端を溶着する際、両端の一部を横凸状に溶着して抜落ち防止溶着部を形成し、中央部にストローを通過させる事ができる隙間を開けた事により、緊急時で気が動転している様な場合でも、ストローがストロー式逆止弁から抜け落ちる事なく確実に呼吸する事が可能となった。【００２６】  請求項４に記載の発明によれば、身体が大津波や洪水に飲み込まれて息が出来なくなる様な危機的状態に陥った場合、ストロー���逆止弁に挿入したストローを逆止弁の中に押し下げ、エアーバックの中の空気をストローで呼吸して避難出来るように構成した事により、大津波のような危機的状態の中で避難する場合、一時的に身体全体が水中にのみ込まれるような事態に陥っても、ストロー式逆止弁のストローを口に銜え、エアーバックの中の空気を給排気する事により呼吸し、安全に避難する事が可能となった。【００２７】  請求項５に記載の発明によれば、上面樹脂フィルムと下面樹脂フィルムの２枚の樹脂フィルムで構成した首挿入穴の首回りを溶着する際、首挿入穴より概ね１〜２ｃｍ外周を首回り形状と同じ略楕円形状に溶着し、首回りからの水の浸入を防止する首回りフィンを形成した事により、首回りからの水の浸入を防ぐ事が可能となった。【００２８】  請求項６に記載の発明によれば、顔面用樹脂フィルムの概ね中央部に、給排気筒を貫通させるための給排気穴を開け、給排気穴の上面に一辺を顔面用樹脂カバーに溶着させた水侵入防止カバーを取付けた事により、身体全体が水中に水没して呼吸が出来なくなるような場合でも、呼吸するための給排気穴から水の浸入を防ぐ事が可能となった。【００２９】  請求項７に記載の発明によれば、給排気穴に挿入して口で銜え、外気を呼吸するための給排気筒に笛を内臓し、先端部にＬＥＤ点滅灯を取付けた事により、身体が水面に浮かんで外気を呼吸する際、給排気筒で呼吸する事により、水が口から体内に入るのを防ぐと共に、笛とＬＥＤ点滅灯が救助をしてくれる人々（救助隊）に避難者の位置を的確に知らせる事が可能となった。【００３０】  請求項８に記載の発明によれば、給排気筒を芯にして略逆Ｕ字形をした３枚の樹脂フィルムと肩紐で構成した津波救命具を丸める事により、平時には手の平に収まるか、それよりやや大きい程度のサイズに収縮させ、携帯可能サイズに構成した事により、常に持ち歩く小型のバック等の中に本発明の携帯式津波救命具を入れて外出していれば、例えば、地下鉄のトンネル内で津波や洪水等の水害に遭遇して避難するような場合でも、直ちに携帯式津波救命具を装着する事が出来、頭部を含む身体全体が津波や洪水等にのみ込まれて息が出来なくなる様な危機的状態に陥った場合でも、水が鼻や口から大量に体内に入って窒息死するような事態を防ぎ、安全に避難する事が可能となった。【００３１】  請求項９に記載の発明によれば、丸めて長期間保管した場合でも、樹脂フィルム同士が貼り付かないように樹脂フィルムにポリウレタンフィルムを使用した事により、長期にわたり性能が老化しない携帯式津波救命具を提供する事が可能となった。
【実施例１】
【００３２】  以下、この発明の実施の形態１について説明する。
［発明の実施の形態１］【００３３】  図１乃至図６には、この発明の実施の形態１を示す。【００３４】  図１は、本発明の携帯式津波救命具１を人間１３が首部と胸部に装着した状態を前方向（図１ａ）と横方向（図１ｂ）で示す。携帯式津波救命具１は、顔面用樹脂フィルム２３と上面樹脂フィルム２９と下面樹脂フィルム３０の３枚の略逆Ｕ字形をした樹脂フィルムで構成され、図２ｂ、図２ｃで示すように、上面樹脂フィルム２９と下面樹脂フィルム３０の半円形状をした外形部分の中央部に、大人の首回りと概ね同じ大きさの首挿入穴３９、５３を開け、首挿入穴３９、５３から半円形状の逆方向の末端５０、５９まで中央切断部４４、５６を切断し、２枚の樹脂フィルムに開けた首挿入穴３９、５３と中央切断部４４、５６の切断面を重ね合わせ、中央切断部４４、５６の左右の切断面左溶着部４３、５５と切断面右溶着部４７、５７に切断面右ハトメ４２、切断面左ハトメ４６を挿入して断面を溶着し、さらに図１で示すように上面樹脂フィルム２９の上面に、外形が上面樹脂フィルム２９より大きく略逆Ｕ字形をした透明な一枚の顔面用樹脂フィルム２３の外周を、２枚の上面樹脂フィルム２９と下面樹脂フィルム３０の外周と重ね合わせて溶着する。【００３５】  図１では、このように構成した携帯式津波救命具１の上部右ハトメ４に結び付けた右肩紐３を、切断面左ハトメ７に通したあと、つづいて下部右ハトメ８に通した状態と、上部左ハトメ２２に結びつけた左肩紐１６を、切断面右ハトメ６に通したあと、つづいて下部左ハトメ１５に通した状態を、右肩紐３と左肩紐１６が携帯式津波救命具１と人間１３の裏に隠れた部分を一点鎖線で表示し、外側から見える右肩紐３と左肩紐１６を実線で表示する。さらに図１では、携帯式津波救命具１の首回りフィン１９に首を通し、上部右ハトメ４に結び付けた右肩紐３の、上部右ハトメ４と切断面左ハトメ７の間の右肩紐３に右腕を通し、右肩紐３を右脇で抱え込むと共に、同様にして上部左ハトメ２２に結び付けた左肩紐１６の、上部左ハトメ２２と切断面右ハトメ６の間の左肩紐１６に左腕を通し、左肩紐１６を左脇で抱え込み、給排気ストロー２０を口で銜え上面樹脂フィルム２９と下面樹脂フィルム３０で形成された胸部左エアーバック１４、胸部右エアーバック９に息を吹込み膨らませ、下部右ハトメ８に通した右肩紐３と、下部左ハトメ１５に通した左肩紐１６を背中に回して２本を結び付け、給排気筒２４を給排気筒挿入穴２６から顔面用樹脂フィルム２３の内部に挿入し、口で銜えた状態を前方向（図１ａ）と横方向（図１ｂ）で示す。【００３６】  このように構成し、切断面左溶着部１２に取付けた切断面左ハトメ７と、切断面右溶着部１０に取付けた切断面右ハトメ６が、切断面左ハトメ７に通した右肩紐３と切断面右ハトメ６に通した左肩紐１６を引っ張る事により互いに逆方向に引き寄せられ、切断面右溶着部１０と切断面左溶着部１２が密着する事により首回りフィン１９も首回りに密着し、首回りからの水の浸入を防ぐと共に、一枚の透明の樹脂フィルムで成形された顔面用樹脂フィルム２３の外周部を、上面樹脂フィルム２９と下面樹脂フィルム３０の２枚の外周部と重ね合わせ一体となるように溶着した事により、顔面用���脂フィルム２３が頭部２と顔面を覆うため、頭部２が水中に水没した際にも、水が首部から顔面に浸入するのを防ぐ事が可能となった。【００３７】  さらに、頭部２が水面に浮上した際には、図１で示すように、給排気筒２４のＬＥＤ点滅灯２８を点滅させ、給排気筒挿入穴２６を覆っている水侵入防止カバー２５を指でめくり、給排気筒挿入穴２６から給排気筒２４を挿入させ口に銜えて息をする事により、口で外気を呼吸する事が出来るようになると共に、呼吸する毎に給排気筒２４に内臓した笛２７が「ピー」と鳴り、ＬＥＤ点滅灯２８が点滅し、救助をしてくれる人々（救助隊）に避難者の位置を確実に知らせる事が可能となった。【００３８】  図２は、図１で説明した携帯式津波救命具１を部品図で示す。携帯式津波救命具１は図２ａの顔面用樹脂フィルム２３と、図２ｂの上面樹脂フィルム２９と、図２ｃの下面樹脂フィルム３０の３枚の樹脂フィルムで構成され、図２ｂの上面樹脂フィルム２９と、図２ｃの下面樹脂フィルム３０には共に梨地（すりガラスのような表面）の樹脂フィルムを用い、上面樹脂フィルム２９と下面樹脂フィルム３０の２枚の樹脂フィルムの外形は共に略逆Ｕ字形の同一寸法で形成され、外周が半円形状をした部分の中央部には、大人の首回りと概ね同じ大きさの首挿入穴３９、５３を開口し、首挿入穴３９、５３の切断部６０、６１から半円形状と逆方向の末端５０、５９まで中央が中央切断部４４、５６で切断され、図２ｂの切断した中央切断部４４の左上部近傍の首回り溶着部３７に、通し線Ｆ４８、通し線Ｇ４９と一点鎖線で示した給排気口取付位置４１に給排気口１７を配置（図５で説明するストロー式逆止弁の溶着位置７５を配置）すると共に、中央切断部４４、５６の左側の斜線で示した切断面左溶接部４３と５５を重ね合わせて溶着する際、中央切断部４４、５６の端の切断部６０、６１から概ね１５〜２０ｃｍメートルの位置に、半円形で蒲鉾状をした樹脂フィルムの半円形の部分にハトメを固定して半円形の反対部分を切断面左溶着部４３と切断面左溶着部５５の間に挿入し、重ね合わせて溶着する事により切断面右ハトメ４６は固定される。さらに中央切断面４４、５６の右側の斜線で示した切断面右溶接部４７と５７を重ね合わせて溶着する際、中央切断部４４、５６の端の切断部６０、６１から概ね５〜１０ｃｍメートルの位置に、半円形で蒲鉾状をした樹脂フィルムの半円形の部分にハトメを固定して半円形の反対部分を切断面右溶着部４７と切断面右溶着部５７の間に挿入し、重ね合わせて溶着する事により切断面右ハトメ４２は固定される。さらに、図２ｂの首挿入穴３９と図２ｃの首挿入穴５３の切断部を重ね合わせて溶着する際、首回り形状と同じ略楕円形状で、首挿入穴３９、５３の切断部より概ね１〜２ｃｍ外周の上面樹脂フィルム２９の斜線で示した首回り溶着部３７と、下面樹脂フィルム３０の斜線で示した首回り溶着部５１の間に給排気口１７を挟み込み（図５で説明するストロー式逆止弁の溶着位置７５を挟み込み）溶着する。このように首挿入穴３９、５３の切断部を溶着する事により、首挿入穴３９、５３の切断面より概ね１〜２ｃｍ外周の首周り溶着部３７、５１までの首回りフィン３８、５２は溶着されず、本発明の携帯式津波救命具を首に装着した際、２枚の首回リフィン３８、５２が首回りを覆い、首の回りから水が顔面に浸入するのを首回りフィン３８、５２が防ぐ。【００３９】  図２ｂの上部右ハトメ４と上部左ハトメ２２は、図１で説明した右肩紐３と左肩紐１６を取付けるためのハトメで、図２ｂの上面樹脂フィルム２９の斜線で示した外周溶着部４５と、図２ｃの下面樹脂フィルム３０の斜線で示した外周溶着部５８の２枚を重ね合わせて溶着する際、半円形で蒲鉾状をした樹脂フィルムの半円形の部分にハトメを固定して半円形の反対部分を外周溶着部４５と５８の間に挿入し、重ね合わせて溶着する事により上部右ハトメ４、上部左ハトメ２２は固定される。上部右ハトメ４、上部左ハトメ２２の取付け位置については、図３で示すように、首挿入穴６２の中心部から半円形状をした外形部分に向かって左右方向に概ね３５度の位置に溶着する。この際、使用するハトメは樹脂製のハトメを使用する事により、本発明の携帯式津波救命具を丸める際、ゴツゴツして嵩張るのを防ぐ事ができる。【００４０】  同様にして、下部右ハトメ８と下部左ハトメ１５のハトメも、図２ｂの上面樹脂フィルム２９の斜線で示した外周溶着部４５と、図２ｃの下面樹脂フィルム３０の斜線で示した外周溶着部５８の２枚を重ね合わせて溶着する際、半円形で蒲鉾状をした樹脂フィルムの半円形の部分にハトメを固定して半円形の反対部分を外周溶着部４５と５８の間に挿入し、重ね合わせて溶着する事により下部右ハトメ８、下部左ハトメ１５は固定される。下部右ハトメ８、下部左ハトメ１５の取付け位置については、図３で示すように、半円状の外周部分の反対側の下端より概ね１０〜１５ｃｍ上方の位置に溶着させる。この際、使用するハトメは樹脂製のハトメを使用する事により、携帯式津波救命具を丸める際、ゴツゴツして嵩張るのを防ぐ事ができる。【００４１】  このように構成した上面樹脂フィルム２９、下面樹脂フィルム３０の上面に、図２ａで示すように、外形が上面樹脂フィルム２９、下面樹脂フィルム３０と同様に略逆Ｕ字形で、外形を上面樹脂フィルム２９、下面樹脂フィルム３０より大きく成形した透明な一枚の顔面用樹脂フィルム２３の外周溶着部３６を、上面樹脂フィルム２９、下面樹脂フィルム３０の外形と同様の大きさになるように波状に折り曲げ、顔面用樹脂フィルム２３の中央部がお椀形に盛り上がるように構成し、外周溶着部３６を、上面樹脂フィルム２９、下面樹脂フィルム３０の斜線で示した外周溶着部４５、５８に重ね合わせて溶着する事により、顔面用樹脂フィルム２３の中央部が上面樹脂フィルム２９、下面樹脂フィルム３０に対してお椀形に盛り上がるように形成される。このように携帯式津波救命具１は３枚の樹脂フィルムを重ね合わせ、外周部を溶着して構成するため、顔面用樹脂フィルム２３、上面樹脂フィルム２９、下面樹脂フィルム３０の３枚の樹脂フィルムには長期間、丸めて保存しても樹脂フィルム同士が貼り付かないポリウレタンフィルムを使用する。【００４２】  なお、図２ａの顔面用樹脂フィルム２３の概ね中央部には、図１で説明した給排気筒２４を挿入するための給排気筒挿入穴２６が開けられ、給排気筒挿入穴２６の樹脂フィルム面には、人間１３が大津波に巻���込まれ頭部が水中に水没した際、給排気筒挿入穴２６から水が浸入しないように、長方形で、一辺を顔面用樹脂フィルム２３に溶着した水侵入防止カバー２５が給排気筒挿入穴２６の上部に被さるように配置される。図２ａでは、水侵入防止カバー２５を顔面用樹脂フィルム２３に取付けた状態を明確に示すため、給排気筒挿入穴２６を顔面用樹脂フィルム２３に実線で示すと共に、その給排気筒挿入穴２６に被せるように取付ける水侵入防止カバー２５の位置を点線で水侵入防止カバー取付位置３５で示し、顔面用樹脂フィルム２３に取付ける水侵入防止カバー２５を、通し線Ｄ３３、通し線Ｅ３４を用いて顔面用樹脂フィルム２３の上部に示す。水侵入防止カバー２５の一辺の溶着部３２を顔面用樹脂フィルム２３に溶着する事により、平時においては水侵入防止カバー２５が給排気筒挿入穴２６の上部に被さり水の浸入を防ぎ、避難時において給排気筒を給排気筒挿入穴２６に挿入する際には、一辺を顔面用樹脂フィルム２３に溶着した水侵入防止カバー２５を指でめくり、給排気筒挿入穴２６に図１で説明した給排気筒２４を挿入させる。この給排気筒挿入穴２６の位置は図１ｂで示したように、給排気筒２４を口で銜えた際に、給排気筒２４が顔面用樹脂フィルム２３に対して概ね９０度の位置になるような位置に開口される。【００４３】  図３は、図２で説明した図２ｂの上面樹脂フィルム２９の、外周溶着部４５、切断面左溶着部４３、切断面右溶着部４７、首回り溶着部３７と、図２ｃの下面樹脂フィルム３０の外周溶着部５８、切断面左溶着部５５、切断面右溶着部５７、首回り溶着部５１を重ね合わせ、重ね合わせた溶着部に上部左ハトメ２２、上部右ハトメ４、下部左ハトメ１５、下部右ハトメ８、切断面左ハトメ４６（図１の切断面左ハトメ７と同一）、切断面右ハトメ４２（図１の切断面右ハトメ６と同一）を挿入して溶着した状態を示す。首回りフィン１９は、図２ｂで説明した首回りフィン３８と、図２ｃで説明した首回りフィン５２で構成され、図２で説明した図２ｂの首回り切断部４０（図１の首回り切断部２１と同一）と図２ｃの首回り切断部５４（図１の首回り切断部２１と同一）により切断されるため、本発明の携帯式津波救命具を人間が首に装着した場合、図１ａの首回り切断部２１で説明したように首回り切断部２１がＶ字型に形成され、首を覆う形となり、水の浸入を防止する役目を果たす。【００４４】  さらに中央切断部１１は、Ａ点６３からＣ点６５まで切断され、切断された切断面左溶着部１２には、半円形で蒲鉾状をした樹脂フィルムの半円形の部分にハトメを固定して半円形の反対部分を、図２ｂと図２ｃで説明した２枚の切断面左溶着部４３、５５の間に挿入し、重ね合わせて溶着する事により切断面左ハトメ７は固定される。さらに、切断された切断面右溶着部１０には、半円形で蒲鉾状をした樹脂フィルムの半円形の部分にハトメを固定して半円形の反対部分を、図２ｂと図２ｃで説明した２枚の切断面右溶着部４７、５７の間に挿入し、重ね合わせて溶着する事により切断面右ハトメ６は固定される。【００４５】  さらに上部右ハトメ４に結び付けた右肩紐３は、切断面左溶着部１２に溶着した切断面左ハトメ７に通した後、つづいて下部右ハトメ８を通し���右肩紐３が下部右ハトメ８から抜け落ちないように先端に結び目を付けると共に、上部左ハトメ２２に結び付けた左肩紐１６を、切断面右溶着部１０に溶着した切断面右ハトメ６に通した後、つづいて下部左ハトメ１５を通し、左肩紐１６が下部左ハトメ１５から抜け落ちないように先端に結び目を付けた事により、非常時に本発明の携帯式津波救命具を身体に装着する際、左右の肩紐を両脇で抱え込むようにして頭部を首挿入穴に挿入する動作を、素早く容易に行う事が出来るようになった。【００４６】  図４は、図１で説明した給排気筒２４を正面図と側面図で示す。給排気筒２４の全長は約１８０ｍｍ、筒６７の直径は約１５ｍｍで先端部のＬＥＤキャップ６６の内部には水銀電池と電気回路が内臓され、ＬＥＤキャップ６６を回す事により電池のスイッチがＯＮ状態となりＬＥＤ点滅灯２８の内部のＬＥＤが点滅する。さらに口挿入部６８を口で銜えて呼吸をする事により、笛２７が「ピー」と鳴り、救助をしてくれる人々（救助隊）に避難者の位置を確実に知らせる事が可能となった。【００４７】  図５は、図１で説明した給排気口１７をストロー式逆止弁で構成した図で示す。給排気ストロー２０は柔らかい樹脂で成型された口銜部７６とストロー７７で構成され、給排気ストロー２０の先端には、ストロー７７に対して概ね４５度曲げられ、ストロー７７を口で銜えた際、ストロー７７が口から抜けるのを防止するためリング状の口銜部７６が取付けられ、ストロー７７には、約５ｍｍ角のＵ字型をした薄いストッパー７８が左右対称に一体成形される。逆止弁８５は２枚の薄いポリウレタンの樹脂フィルムを重ね、樹脂フィルムの両横のサイド溶着部８４、８６と、そのサイド溶着部８４、８６の両端の一部を、中央にストロー７７を上下に動作させる事が出来る様にストロー７７の外周より僅かに広い空間（ストロー挿入口８３）を残して横凸形状（抜落ち防止溶着部８１を示す）に溶着される。なお、抜落ち防止溶着部８１の位置については、給排気ストロー２０を上下に移動させる長さに対して、溶着位置７５と抜落ち防止溶着部８１との間の長さを同一にする事により抜落ち防止溶着部８１の位置が決定する。【００４８】  さらに、逆止弁８５を、図１と図３で説明した首回り溶着部１８に溶着する際には、逆止弁８５の溶着位置７５を、図２で説明した図２ｂの首回り溶着部３７と、図２ｃの首回り溶着部５１の間に挟み込み、図５で示す、ストロー挿入口８７に溶着を防止するため離型フィルム（一例として、ガラスクロスにフッ素樹脂をコーティングしたフィルム）を挿入し、斜線で示した首回り溶着部３７と首回り溶着部５１を溶着する事により逆止弁８５は固定される。【００４９】  このように溶着された逆止弁８５のストロー挿入口８７に給排気ストロー２０のストロー７７を挿入する際、ストッパー７８をストロー７７に巻き付けるようにして、ストロー下端７９をストロー挿入口８７から挿入し、ストッパー７８がストロー挿入口８７を通過した後、ストロー７７に巻き付けたストッパー７８を広げる事により、給排気ストロー２０を上部に引き上げた際、ストッパー７８が首回り溶着部１８に当接してストロー７７が逆止弁８５から抜け落ちるのを防止すると共に、ストロー下端��９が逆止弁８５の内部に引き込まれる事により逆止弁８５を構成する２枚の薄い樹脂フィルム８２が貼付き、エアーバックの内部の空気が逆止弁８５から洩れるのを防ぐ。さらに給排気ストロー２０を下に押し下げた際は、ストッパー７８が抜落ち防止溶着部８１に当接し、口銜部７６が逆止弁上端８０から一定の間隔を保って停止するように構成される。【００５０】  図６は、図１で説明した携帯式津波救命具１を装着した人間１３が大津波や洪水にのみ込まれ、頭部が水中に水没した状態を示す。このように頭部２が水中に水没した場合には、口で給排気ストロー２０を銜え込み、図５で説明した給排気ストロー２０のストロー下端７９を樹脂フィルム８２の下部に押し下げ（図５ｃ参照）、上面樹脂フィルム２９と下面樹脂フィルム３０で構成されたエアーバックの中の空気を呼吸する事により、水中においても数分の時間であれば呼吸する事が出来るようになり危機的状態においても安全に避難する事が可能となった。
【実施例２】
【００５１】  以下、この発明の実施の形態２について説明する。
［発明の実施の形態２］【００５２】  図７には、この発明の実施の形態２を示す。上記発明の実施の形態１では、図１、図２において、人間１３が、本発明の携帯式津波救命具１を頭部に被った際、顔面用樹脂フィルム２３が頭部２をお椀形に包み込み、顔面回りに空間を作る事が出来るように、顔面用樹脂フィルム２３は、上面樹脂フィルム２９、下面樹脂フィルム３０と同様の略逆Ｕ字形で上面樹脂フィルム２９、下面樹脂フィルム３０より大きく構成し、図２ａで説明した、顔面用樹脂フィルム２３の斜線で示した外周溶着部３６を波状に折り曲げ、上面樹脂フィルム２９、下面樹脂フィルム３０の斜線で示した外周溶着部４５、５８に重ね合わせて溶着させたのに対し、この発明の実施の２では、顔面用樹脂フィルム９５の外形を、上面樹脂フィルム１１０、下面樹脂フィルム１２９より大きく略逆Ｕ字形に形成し、顔面用樹脂フィルム９５の外周を、上面樹脂フィルム１１０、下面樹脂フィルム１２９の外周と重ね合わせて溶着する際、顔面用樹脂フィルム９５の外周に外周溶着部１００を折り曲げて溶着した複数の折曲部１０１を形成し、その折り曲げた折曲溶着部１０２を、上面樹脂フィルム１１０、下面樹脂フィルム１２９の外周溶着部１１１、１３０に重ね合わせて溶着する事により、顔面回りにお椀形の空間を作る事が出来るようになった。その他の構造に関しては、この発明の実施の形態１と同様である。
【実施例３】
【００５３】  以下、この発明の実施の形態３について説明する。
［発明の実施の形態３］【００５４】  図８、９には、この発明の実施の形態３を示す。上記発明の実施の形態１では図１、図２、図３で説明したように、給排気口１７は、図２ｂで説明した、切断された中央切断部４４の左上部近傍の首回り溶着部３７に配置されるが、この発明の実施の形態３では、給排気口１６２（図５で説明したストロー式逆止弁と同一）は、図８ｂで示すように、上面樹脂フィルム１４６の斜線で示した切断面右溶着部１５８に取付けられる切断面右ハトメ１５４の少し横を、図５で説明した逆止弁８５の樹脂フィルム８２の溶着位置７５を挿入する事が出来るように切断して切断部１５６を形成し、その切断部１５６に給排気口１６２（図５で説明したストロー式逆止弁と同一）を挿入し、図９で示すように、給排気口１６２（図５で説明したストロー式逆止弁と同一）の切断部１５６に細長い樹脂フィルム（図示せず）を重ね合わせ、図５で説明した、ストロー挿入口８７に溶着を防止するため離型フィルム（一例として、ガラスクロスにフッ素樹脂をコーティングしたフィルム）を挿入し、細長い樹脂フィルム（図示せず）と上面樹脂フィルム１４６を斜線で示す溶着部１７８で溶着する事により、給排気口１６２（図５で説明したストロー式逆止弁と同一）が、図８で示す上面樹脂フィルム１４６に取付けられる。給排気口１６２を上面樹脂フィルム１４６に取付ける位置は、本発明の携帯式津波救命具を頭部に装着した際、口銜部１８０が口元近くに位置するように（図６参照）、切断面右ハトメ１５４の概ね横の、図９で示す中央切断部１５９から概ね５〜８ｃｍ横で、中央切断部１５９のＲ点１７６から概ね５〜８ｃｍの位置に給排気口１６２（図５で説明したストロー式逆止弁と同一）のストロー中心が配置されるように溶着する。【００５５】  さらに、上記発明の実施の形態１では、図２で説明したように、図２ｂの上面樹脂フィルム２９の首回り溶着部３７と、図２ｃの下面樹脂フィルム３０の首回り溶着部５１を重ね合わせて溶着する際、首挿入穴３９、５３より概ね１〜２ｃｍ外周を、首回り形状と同じ略楕円形状で斜線で示した首回り溶着部３７と斜線で示した首回り溶着部５１を溶着したのに対し、この発明の実施の形態３では、図９で示すように、首挿入穴１４９の切断面より概ね１〜２ｃｍ外側の斜線で示す首回り溶着部１５０を概ね１〜２ｃｍ巾で巾広く溶着する。その他の構造に関しては、この発明の実施の形態１と同様である。【００５６】  以上の実施の形態に基づいて、本発明に係る携帯式津波救命具２型について詳細に説明してきたが、本発明は、以上の実施の形態に限定されるものではなく、発明の趣旨を逸脱しない範囲において各種の改変をなしても、本発明の技術的範囲に属するのはもちろんである。【００５７】  図１で、上部右ハトメ４と上部左ハトメ２２に結びつけた右肩紐３と左肩紐１６を縛る際、背中に回して背中の後ろで結ぶと説明したが、背中に回した右肩紐３と左肩紐１６を、さらに腹部まで回して腹部正面で結ぶ事も、もちろん可能である。【００５８】  図２ａの顔面用樹脂フィルム２３の斜線で示した外周溶着部３６と、図２ｂの上面樹脂フィルム２９の斜線で示した外周溶着部４５と、図２ｃの下面樹脂フィルム３０の斜線で��した外周溶着部５８の３枚の樹脂フィルムを重ね合わせて溶着する際、図２ｂの上面樹脂フィルム２９の外周溶着部４５と、図２ｃの下面樹脂フィルム３０の外周溶着部５８を溶着した後、つづいて図２ａの顔面用樹脂フィルム２３の外周溶着部３６を溶着する方法と、図２ａの顔面用樹脂フィルム２３の外周溶着部３６と、図２ｂの上面樹脂フィルム２９の外周溶着部４５と、図２ｃの下面樹脂フィルム３０の外周溶着部５８の３枚の樹脂フィルムを同時に重ね合わせて溶着する方法がある。何れの溶着方法で溶着を行う事も、もちろん可能である。【００５９】  図２ｂにおいて、切断面左溶着部４３と切断面右溶着部４７に、切断面左ハトメ４６と切断面右ハトメ４２を、左右それぞれ１箇所に取付けたが、切断面左溶着部４３と切断面右溶着部４７に取付ける切断面左ハトメ４６と切断面右ハトメ４２は左右それぞれ１箇所に限定せず、左右に、それぞれ複数個の切断面左ハトメと切断面右ハトメを取付け、左右のハトメに、それぞれ連続して肩紐を通し、図１説明したように２本の肩紐を結ぶ事により、切断面左溶着部と切断面右溶着部を、さらに隙間無く強く密着させる事も、もちろん可能である。
【図面の簡単な説明】
【００６０】
【図１】この発明の実施の形態１に係る、携帯式津波救命具を人間が首部と胸部に装着した状態を、正面方向と側面方向から見た状態を示す。
【図２】同実施の形態に係る、携帯式津波救命具を構成する３枚の樹脂フィルムを分解した状態を部品図で示す。
【図３】同実施の形態に係る、携帯式津波救命具の上面樹脂フィルムと下面樹脂フィルムの外周を重ね合わせて溶着し、ハトメに肩紐を通した状態を示す。
【図４】同実施の形態に係る、給排気筒を正面図と側面図で示す。
【図５】同実施の形態に係る、給排気口を実際に取付けるストロー式逆止弁の構造で示す。
【図６】同実施の形態に係る、携帯式津波救命具を装着した人間が大津波にのみ込まれた状態を示す。
【図７】この発明の実施の形態２に係る、携帯式津波救命具の３枚の樹脂フィルムをそれぞれ分解した状態を部品図で示す。
【図８】この発明の実施の形態３に係る、携帯式津波救命具の３枚の樹脂フィルムを分解した状態を部品図で示す。
【図９】同実施の形態に係る、携帯式津波救命具の上面樹脂フィルムと下面樹脂フィルムの外周を重ね合わせて溶着した状態を示す。
【符号の説明】
【００６１】１                  携帯式津波救命具
２                  頭部
３                  右肩紐
４                  上部右ハトメ
５                  外周溶着部
６                  切断面右ハトメ
７                  切断面左ハトメ
８                  下部右ハトメ
９                  胸部右エアーバック
１０                切断面右溶着部
１１                中央切断部
１２                切断面左溶着部
１３                人間
１４                胸部左エアーバック
１５                下部左ハトメ
１６                左肩紐
１７                給排気口
１８                首回り溶着部
１９                首回りフィン
２０                給排気ストロー
２１                首回り切断部
２２                上部左ハトメ
２３                顔面用樹脂フィルム
２４                給排気筒
２５                水侵入防止カバー
２６                給排気筒挿入穴
２７                笛
２８                ＬＥＤ点滅灯
２９                上面樹脂フィルム
３０                下面樹脂フィルム
３２                溶着部
３３                通し線Ｄ
３４                通し線Ｅ
３５                水侵入防止カバー取付位置
３６                外周溶着部
３７                首回り溶着部
３８                首回りフィン
３９                首挿入穴
４０                首回り切断部
４１                給排気口取付位置
４２                切断面右ハトメ
４３                切断面左溶着部
４４                中央切断部
４５                外周溶着部
４６                切断面左ハトメ
４７                切断面右溶着部
４８                通し線Ｆ
４９                通し線Ｇ
５０                末端
５１                首回り溶着部
５２                首回りフィン
５３                首挿入穴
５４                首回り切断部
５５                切断面左溶着部
５６                中央切断部
５７                切断面右溶着部
５８                外周溶着部
５９                末端
６０                切断部
６１                切断部
６２                首挿入穴
６３                Ａ点
６４                Ｂ点
６５                Ｃ点
６６                ＬＥＤキャップ
６７                筒
６８                口挿入部
７５                溶着位置
７６                口銜部
７７                ストロー
７８                ストッパー
７９                ストロー下端
８０                逆止弁上端
８１                抜落ち防止溶着部
８２                樹脂フィルム
８３                ストロー挿入口
８４                サイド溶着部
８５                逆止弁
８６                サイド溶着部
８７                ストロー挿入口
８８                大津波
９３                溶着部
９４                水侵入防止カバー
９５                顔面用樹脂フィルム
９６                通し線Ｈ
９７                水侵入防止カバー取付位置
９８                給排気筒挿入穴
９９                通し線Ｑ
１００              外周溶着部
１０１              折曲部
１０２              折曲溶着部
１０３              上部左ハトメ
１０４              上部右ハトメ
１０５              首回りフィン
１０６              首回り溶着部
１０７              首回り切断部
１０８              首挿入穴
１０９              給排気口取付位置
１１０              上面樹脂フィルム
１１１              外周溶着部
１１２              下部左ハトメ
１１３              切断面右ハトメ
１１４              切断面左ハトメ
１１５              切断面右溶着部
１１６              切断面左溶着部
１１７              中央切断部
１１８              通し線Ｊ
１１９              通し線Ｋ
１２０              下部右ハトメ
１２１              給排気口
１２２              首回りフィン
１２３              首回り溶着部
１２４              首挿入穴
１２５              首回り切断部
１２６              切断面左溶着部
１２７              切断面右溶着部
１２８              中央切断部
１２９              下面樹脂フィルム
１３０              外周溶着部
１３６              溶着部
１３７              水侵入防止カバー
１３８              顔面用樹脂フィルム
１３９              外周溶着部
１４０              通し線Ｌ
１４１              通し線Ｍ
１４２              水侵入防止カバー取付位置
１４３              給排気筒挿入穴
１４４              上部右ハトメ
１４５              上部左ハトメ
１４６              上面樹脂フィルム
１４７              外周溶着部
１４８              下部左ハトメ
１４９              首挿入穴
１５０              首回り溶着部
１５１              首回りフィン
１５２              首回り切断部
１５３              切断面左ハトメ
１５４              切断面右ハトメ
１５５              給排気口取付位置
１５６              切断部
１５７              切断面左溶着部
１５８              切断面右溶着部
１５９              中央切断部
１６０              通し線Ｎ
１６１              通し線Ｐ
１６２              給排気口
１６３              下部右ハトメ
１６４              首挿入穴
１６５              首回り溶着部
１６６              首回りフィン
１６７              首回り切断部
１６８              切断面右溶着部
１６９              切断面左溶着部
１７０              中央切断部
１７１              下面樹脂フィルム
１７２              外周溶着部
１７３              末端
１７４              末端
１７５              Ｑ点
１７６              Ｒ点
１７７              Ｓ点
１７８              溶着部
１７９              外周溶着部
１８０              口銜部
【図１】
2015003711.tif 000003
【図２】
2015003711.tif 000004
【図３】
2015003711.tif 000005
【図４】
2015003711.tif 000006
【図５】
2015003711.tif 000007
【図６】
2015003711.tif 000008
【図７】
2015003711.tif 000009
【図８】
2015003711.tif 000010
【図９】
2015003711.tif 000011